(57)【要約】【解決手段】分離独立させたケースにセットされたシート束２をとじるシートとじ器５には、ステープル留め器１４を取り付ける装着台６と、装着台６に取り付けたステープル留め器１４に対し作動してステープルをシート束２に留める駆動部１８とを設けている。ケースの隅部に設けた開口４に設置した装着台６は、回動可能に支持されて、駆動部１８によりステープル留め器１４を作動し得る作動可能状態と、駆動部１８によるステープル留め器１４の作動を中止するとともにステープル留め器１４を着脱することができる着脱可能状態Ｐとを取り、作動可能状態から上方へ回動されて着脱可能状態Ｐとなる。【効果】駆動部１８の作動中でも着脱可能状態Ｐでステープル留め器１４を装着台６に着脱することができる。ステープル留め器１４を把持した手がケースを載せた載置面に当りにくくなる。従って、装着台６にステープル留め器１４を容易に着脱することができる。【選択図】図４
2007246227.tif 000002
【特許請求の範囲】
【請求項１】
分離独立させたケースにセットされたシート束をとじるシートとじ器を備え、このシートとじ器には、ステープル留め器を取り付ける装着部と、その装着部に取り付けたステープル留め器に対し作動してステープルをシート束に留める駆動部とを設けたシートとじ装置において、
前記装着部は、前記ケースにセットされたシート束の厚み方向に対し直交する縦方向へ回動可能に支持されて、前記駆動部によりステープル留め器を作動し得る作動可能状態と、この駆動部によるステープル留め器の作動を中止する着脱可能状態とを取り、その着脱可能態でステープル留め器を着脱することができる
ことを特徴とするシートとじ装置。
【請求項２】
分離独立させたケースにセットされたシート束をとじるシートとじ器を備え、このシートとじ器には、ステープル留め器を取り付ける装着部と、その装着部に取り付けたステープル留め器に対し作動してステープルをシート束に留める駆動部とを設けたシートとじ装置において、
前記ケースには、シート束が立ててセットされる収容室と、この収容室にセットされたシート束の厚み方向に対し直交する横方向の両横壁部及び縦方向の上下両壁部とを設け、一方の横壁部と下壁部とが互いに交差するケースの隅部に設けた開口に前記シートとじ器の装着部を設置し、
前記装着部は、前記ケースに対し開口で回動可能に支持されて、前記駆動部によりステープル留め器を作動し得る作動可能状態と、この駆動部によるステープル留め器の作動を中止する着脱可能状態とを取り、その着脱可能状態でステープル留め器を着脱することができる
ことを特徴とするシートとじ装置。
【請求項３】
分離独立させたケースにセットされたシート束をとじるシートとじ器を備え、このシートとじ器には、ステープル留め器を取り付ける装着部と、その装着部に取り付けたステープル留め器に対し作動してステープルをシート束に留める駆動部とを設けたシートとじ装置において、
前記ケースには、シート束が立ててセットされる収容室と、この収容室にセットされたシート束の厚み方向に対し直交する横方向の両横壁部及び縦方向の上下両壁部とを設け、一方の横壁部と下壁部とが互いに交差するケースの隅部に設けた開口に前記シートとじ器の装着部を設置し、
この装着部は、前記ケースに対し開口で縦方向である上下方向へ回動可能に支持されて、前記駆動部によりステープル留め器を作動し得る作動可能状態と、ステープル留め器を着脱することができる着脱可能状態とを取り、その作動可能状態から上方へ回動されて着脱可能状態となる
ことを特徴とするシートとじ装置。
【請求項４】
前記シートとじ器の装着部は着脱可能状態でステープル留め器が着脱される出入口部を有し、ステープル留め器は着脱可能状態でその出入口部を通ってケースの開口から外側へ突出する指掛部を有していることを特徴とする請求項２または請求項３に記載のシートとじ装置。
【請求項５】
前記ステープル留め器は作動可能状態でも出入口部を通ってケースの開口から外側へ突出する指掛部を有していることを特徴とする請求項４に記載のシートとじ装置。
【請求項６】
前記ステープル留め器の指掛部は着脱可能状態でケースの下壁部との間に空隙部を生じるようにしていることを特徴とする請求項４または請求項５に記載のシートとじ装置。
【請求項７】
前記シートとじ器は作動可能状態でステープル留め器が装着部の出入口部から離脱するのを規制するストッパを有していることを特徴とする請求項４または請求項５または請求項６に記載のシートとじ装置。
【発明の詳細な説明】
【技術分野】
【０００１】
本発明は、例えばコピー機やプリンタなどの各種事務機器に対し分離独立させたケースにセットされたシート束を揃えた後にそのシート束にステープルを留めるシートとじ装置に関するものである。
【背景技術】
【０００２】
従来、下記特許文献１では、ケースの下端隅部に形成された開口で装着部が傾斜して設けられ、市販のステープル留め器が装着部に対し下側の出入口部から着脱可能に嵌め込まれる。また、切換スイッチを操作すると、電動モータにより駆動部が作動し、装着部に嵌め込まれたステープル留め器がその駆動部の作動によりステープルをシート束に留める。
【特許文献１】特開２００３−２０１０５６号公報
【発明の開示】
【発明が解決しようとする課題】
【０００３】
上記特許文献１では、電動モータの駆動中は常に駆動部によりステープル留め器が作動するため、切換スイッチを操作して電動モータを停止させない限り、装着部に対しステープル留め器を着脱することができなかった。また、傾斜した装着部の出入口部がケースを載せた載置面に対し近い位置にあるため、装着部に対しステープル留め器を着脱する際、ステープル留め器を把持した手が載置面に当ってその着脱操作を行いにくくなっていた。
【０００４】
この発明は、装着部に対しステープル留め器を着脱し易くすることを目的としている。
【課題を解決するための手段】
【０００５】
後記実施形態の図面（図１〜６）の符号を援用して本発明を説明する。
請求項１の発明にかかるシートとじ装置は、下記のように構成されている。
このシートとじ装置は、分離独立させたケース１にセットされたシート束２をとじるシートとじ器５を備えている。このシートとじ器５には、ステープル留め器１４を取り付ける装着部６と、その装着部６に取り付けたステープル留め器１４に対し作動してステープルをシート束２に留める駆動部１８とを設けている。前記装着部６は、前記ケース１にセットされたシート束２の厚み方向に対し直交する縦方向Ｚへ回動可能に支持されて、前記駆動部１８によりステープル留め器１４を作動し得る作動可能状態Ｑと、この駆動部１８によるステープル留め器１４の作動を中止する着脱可能状態Ｐとを取り、その着脱可能状態Ｐでステープル留め器１４を着脱することができる。
【０００６】
請求項１の発明では、駆動部１８の作動中でも着脱可能状態Ｐでステープル留め器１４を装着部６に対し着脱することができる。従って、装着部６に対しステープル留め器１４を容易に着脱することができる。また、装着部６が作動可能状態Ｑと着脱可能状態Ｐとの間で回動するので、装着部６の移動スペースを小さくして装着部６をケース１に対しコンパクトに収容することができる。
【０００７】
請求項２または請求項３の発明にかかるシートとじ装置は、下記の共通構成を有している。
このシートとじ装置は、分離独立させたケース１にセットされたシート束２をとじるシートとじ器５を備えている。このシートとじ器５には、ステープル留め器１４を取り付ける装着部６と、その装着部６に取り付けたステープル留め器１４に対し作動してステープルをシート束２に留める駆動部１８とを設けている。前記ケース１には、シート束２が立ててセットされる収容室３と、この収容室３にセットされたシート束２の厚み方向に対し直交する横方向Ｙの両横壁部１ａ，１ｂ及び縦方向Ｚの上下両壁部１ｃ，１ｄとを設けている。一方の横壁部１ａと下壁部１ｄとが互いに交差するケース１の隅部に設けた開口４に前記シートとじ器５の装着部６を設置している。
【０００８】
さらに、請求項２の発明において、前記装着部６は、前記ケース１に対し開口４で回動可能に支持されて、前記駆動部１８によりステープル留め器１４を作動し得る作動可能状態Ｑと、この駆動部１８によるステープル留め器１４の作動を中止する着脱可能状態Ｐとを取り、その着脱可能状態Ｐでステープル留め器１４を着脱することができる。
【０００９】
請求項２の発明では、駆動部１８の作動中でも着脱可能状態Ｐでステープル留め器１４を装着部６に対し着脱することができる。従って、装着部６に対しステープル留め器１４を容易に着脱することができる。また、ケース１の開口４に設置した装着部６が作動可能状態Ｑと着脱可能状態Ｐとの間で回動するので、装着部６の移動スペースを小さくして装着部６をケース１に対しコンパクトに収容することができる。
【００１０】
さらに、請求項３の発明において、前記装着部６は、前記ケース１に対し開口４で縦方向Ｚである上下方向へ回動可能に支持されて、前記駆動部１８によりステープル留め器１４を作動し得る作動可能状態Ｑと、ステープル留め器１４を着脱することができる着脱可能状態Ｐとを取り、その作動可能状態Ｑから上方へ回動されて着脱可能状態Ｐとなる。
【００１１】
請求項３の発明では、着脱可能状態Ｐで装着部６がケース１を載せた載置面Ｆから離れるため、装着部６に対しステープル留め器１４を着脱する際、ステープル留め器１４を把持した手が載置面Ｆに当りにくくなる。従って、装着部６に対しステープル留め器１４を容易に着脱することができる。また、ケース１の開口４に設置した装着部６が作動可能状態Ｑと着脱可能状態Ｐとの間で回動するので、装着部６の移動スペースを小さくして装着部６をケース１に対しコンパクトに収容することができる。
【００１２】
請求項２または請求項３の発明を前提とする請求項４の発明において、前記シートとじ器５の装着部６は着脱可能状態Ｐでステープル留め器１４が着脱される出入口部１０を有し、ステープル留め器１４は着脱可能状態Ｐでその出入口部１０を通ってケース１の開口４から外側へ突出する指掛部１６ａを有している。請求項４の発明では、ステープル留め器１４の指掛部１６ａを操作して、着脱可能状態Ｐでステープル留め器１４を装着部６に対し容易に着脱することができるとともに、着脱可能状態Ｐから作動可能状態Ｑへ容易に切り換えることができる。
【００１３】
請求項４の発明を前提とする請求項５の発明において、前記ステープル留め器１４は作動可能状態Ｑでも出入口部１０を通ってケース１の開口４から外側へ突出する指掛部１６ａを有している。請求項５の発明では、ステープル留め器１４の指掛部１６ａを操作して、作動可能状態Ｑから着脱可能状態Ｐへ容易に切り換えることができる。
【００１４】
請求項４または請求項５の発明を前提とする請求項６の発明において、前記ステープル留め器１４の指掛部１６ａは着脱可能状態Ｐでケース１の下壁部１ｄとの間に空隙部Ｓを生じるようにしている。請求項６の発明では、ステープル留め器１４を把持した手がこの空隙部Ｓに入るために載置面Ｆに対しより一層当りにくくなる。
【００１５】
請求項４または請求項５または請求項６の発明を前提とする請求項７の発明において、前記シートとじ５は作動可能状態Ｑでステープル留め器１４が装着部６の出入口部１０から離脱するのを規制するストッパ１３を有している。請求項７の発明では、駆動部１８の作動中にステープル留め器１４が装着部６から不用意に離脱するのを規制することができる。
【００１６】
次に、請求項以外の技術的思想について実施形態の図面の符号を援用して説明する。
請求項１から請求項７のうちいずれかの請求項の発明を前提とする第８の発明において、前記駆動部１８は揺動レバー２０を有し、この揺動レバー２０は、作動可能状態Ｑでステープル留め器１４の操作腕１６に面してその操作腕１６を作動させ、着脱可能状態Ｐでステープル留め器１４の操作腕１６から離れてその操作腕１６の作動を中止する。
【発明の効果】
【００１７】
本発明は、装着部６に対しステープル留め器１４を容易に着脱することができる。
【発明を実施するための最良の形態】
【００１８】
以下、本発明の一実施形態にかかるシートとじ装置について図面を参照して説明する。
本実施形態は、特開２００３−２０１０５６号公報に記載の分離独立型シート束処理装置の第二実施形態においてシートとじ器を改良したものである。図１（ａ）（ｂ）及び図３（ａ）（ｂ）に示すように、この分離独立型シート束処理装置のケース１内には、図示しない縦整合機構部と横整合機構部とにより揃えられたシート束２を立ててセットする収容室３が設けられている。この収容室３にセットされたシート束２の厚み方向に対し直交する横方向Ｙの両横壁部１ａ，１ｂ及び縦方向Ｚの上下両壁部１ｃ，１ｄのうち一方の横壁部１ａと下壁部１ｄとが互いに交差するケース１の隅部には開口４が設けられている。ケース１内で収容室３の下方には、図示しない穴あけパンチと、この開口４の内側に取り付けられたシートとじ器５とからなる後処理機構部が設置されている。次に、このシートとじ器５を詳述する。
【００１９】
図５，６及び図２（ｂ）に示すように、ケース１で厚み方向の表裏両壁部１ｅ，１ｆのうち裏壁部１ｆ側には、装着部としての装着台６が取り付けられている。この装着台６において、裏壁部１ｆに面する底壁部７は、軸支部８により回動可能に支持され、この軸支部８から開口４へ向けて外側に延びる片半部７ａと、この軸支部８から内側に向けて延びる片半部７ｂとを有している。この底壁部７の外周を囲う周壁部９には、底壁部７の片半部７ａで開口４に通じる出入口部１０が形成されているとともに、底壁部７の片半部７ｂでストッパ１１が取着されている。この装着台６は、前記軸支部８により厚み方向の回転中心線８ａを中心にして縦方向Ｚ（上下方向）へ所定円周角度だけ回動可能に支持され、図３（ｂ）、図４及び図６に示す着脱可能状態Ｐ（切状態）と、図１（ｂ）、図２（ａ）及び図５に示す作動可能状態Ｑ（入状態）とを取る。この着脱可能状態Ｐでは、裏壁部１ｆに取着された板ばね１２により装着台６が保持され、底壁部７の片半部７ａと片半部７ｂとを結ぶ長手方向６ａが回転中心線８ａに直交した状態で略水平になる。この作動可能状態Ｑでは、前記板ばね１２により装着台６が保持されて前記長手方向６ａが傾斜し、底壁部７の片半部７ｂが斜め上向きになるとともに、底壁部７の片半部７ａが斜め下向きになって、裏壁部１ｆに取着されたストッパ１３に出入口部１０が面する。
【００２０】
図２（ｂ）に示す市販のステープル留め器１４においては、受け台１５の基端部に設けられたブラケット１５ａに対し、操作腕１６の基端部が回動可能に支持されているとともに、この操作腕１６と受け台１５との間でステープル収容箱１７の基端部が回動可能に支持されている。この着脱可能状態Ｐでステープル留め器１４を装着台６に取り付けると、受け台１５が周壁部９の内側で底壁部７に載置され、ステープル収容箱１７の先端部がストッパ１１に面するとともに、図３（ａ）（ｂ）及び図４に示すように操作腕１６の基端部が出入口部１０を通ってケース１の開口４から外側へ突出する。この操作腕１６の基端部は指掛部１６ａとして機能し、ケース１の下壁部１ｄを通る延長面（ケース１の載置面Ｆ）とその指掛部１６ａとの間で空隙部Ｓが生じる。
【００２１】
この着脱可能状態Ｐから操作腕１６の指掛部１６ａを下方へ押すと、図１（ａ）（ｂ）及び図２（ａ）に示すように、操作腕１６の指掛部１６ａがケース１の開口４から外側へ突出したままケース１の下壁部１ｄを通る延長面（ケース１の載置面Ｆ）に接近し、装着台６が回動して傾斜する作動可能状態Ｑとなる。この作動可能状態Ｑでは、図２（ｂ）に示すように受け台１５の基端部がストッパ１３に対し係止可能となってステープル留め器１４を装着台６から離脱させることができない。
【００２２】
図１（ｂ）及び図２（ａ）（ｂ）に示すように、ケース１で厚み方向の表裏両壁部１ｅ，１ｆのうち裏壁部１ｆ側には、前記装着台６と表壁部１ｅとの間で駆動部としての駆動カム機構１８が取り付けられている。この駆動カム機構１８においては、ブラケット１９内にカムレバー２０及びカム板２１が組み込まれ、一対のコイルばね２２により付勢された支軸２３を中心にこのカムレバー２０が回動可能に支持されている。前述した図示しない穴あけパンチは電動モータを駆動源とする駆動部により作動する。この穴あけパンチの駆動部と連動する連動軸２４から両ギヤ２５，２６を経て回転が伝達される駆動軸２７によりこのカム板２１が回転する。前記カムレバー２０の先端部に支持された押圧ローラ２８と支軸２３との間でカムレバー２０にカムローラ２９が支持され、前記カム板２１の回転に伴いこのカムローラ２９がカム板２１に係合すると、カムレバー２０がコイルばね３０の弾性力に抗してまたはコイルばね３０の弾性力により揺動する。このカムレバー２０の押圧ローラ２８が前記装着台６の作動可能状態Ｑで前記ステープル留め器１４の操作腕１６の先端部に面するため、カムレバー２０の揺動によりステープル留め器１４が作動され、受け台１５とステープル収容箱１７との間に挿入されたシート束２の隅部がステープルにより留められる。
【００２３】
この作動可能状態Ｑから操作腕１６の指掛部１６ａを上方へ押すと、図３（ａ）（ｂ）及び図４に示すように、操作腕１６の指掛部１６ａがケース１の開口４から外側へ突出したままケース１の下壁部１ｄから離間し、装着台６が回動して略水平な着脱可能状態Ｐとなる。この着脱可能状態Ｐ（作動不能状態）では、カムレバー２０の押圧ローラ２８がステープル留め器１４の操作腕１６の先端部から離れるため、カムレバー２０が揺動しても操作腕１６に係合せず、ステープル留め器１４の作動が中止される。また、ステープル留め器１４を開口４及び出入口部１０を通して装着台６に対し長手方向６ａに沿って着脱することができる。
【００２４】
前記実施形態以外にも下記のように構成してもよい。
＊  図示しないが、シートとじ器５の駆動源としては、穴あけパンチの駆動源である電動モータと兼用せずに、専用の電動モータを採用する。
【００２５】
＊  図示しないが、ステープル留め器１４の指掛部１６ａに代えて、またはその指掛部１６ａとともに、装着台６に指掛部を設ける。
＊  作動可能状態Ｑでも装着台６に対しステープル留め器１４を着脱可能にする。
【００２６】
＊  着脱可能状態Ｐでもステープル留め器１４を作動可能にする。
【図面の簡単な説明】
【００２７】
【図１】（ａ）は本実施形態にかかる分離独立型シート束処理装置においてシートとじ器の作動可能状態を示す正面図であり、（ｂ）は同じく一部切欠き正面図である。
【図２】（ａ）は図１（ｂ）のシートとじ器を示す部分拡大正面図であり、（ｂ）は図１（ｂ）のシートとじ器をＡ矢視方向から見た部分断面図である。
【図３】（ａ）は本実施形態にかかる分離独立型シート束処理装置においてシートとじ器の着脱可能状態を示す正面図であり、（ｂ）は同じく一部切欠き正面図である。
【図４】図３（ｂ）のシートとじ器を示す部分拡大正面図である。
【図５】図２（ａ）のシートとじ器を切り欠いて示す部分拡大正面図である。
【図６】図４のシートとじ器を切り欠いて示す部分拡大正面図である。
【符号の説明】
【００２８】
１…ケース、１ａ，１ｂ…横壁部、１ｃ…上壁部、１ｄ…下壁部、２…シート束、３…収容室、４…開口、５…シートとじ器、６…装着部としての装着台、１０…出入口部、１３…ストッパ、１４…ステープル留め器、１６ａ…ステープル留め器の指掛部、１８…駆動部としての駆動カム機構、Ｓ…空隙部、Ｐ…着脱可能状態、Ｑ…作動可能状態、Ｙ…横方向、Ｚ…縦方向。
【図１】
2007246227.tif 000003
【図２】
2007246227.tif 000004
【図３】
2007246227.tif 000005
【図４】
2007246227.tif 000006
【図５】
2007246227.tif 000007
【図６】
2007246227.tif 000008